(57)【特許請求の範囲】
【請求項１】
高温暖房端末が設けられた高温熱媒通流路が、熱媒加熱用の加熱手段を経由して熱媒を通流させる熱源側熱媒通流路における熱媒送出用の出口と熱媒戻し用の入口とに接続された状態で設けられ、
低温暖房端末が設けられた低温熱媒通流路が、前記熱源側熱媒通流路における前記熱媒戻し用の入口と前記加熱手段との間の流路部分と前記熱媒戻し用の入口とに接続された状態で設けられ、
前記熱源側熱媒通流路に、熱媒を前記熱媒送出用の出口に向けて流動させる熱媒循環手段が設けられ、
前記高温暖房端末への熱媒供給を断続するように前記高温熱媒通流路を開閉する高温側開閉手段と、
前記低温暖房端末への熱媒供給を断続するように前記低温熱媒通流路を開閉する低温側開閉手段と、
前記熱媒送出用の出口から送出される熱媒の温度を検出する供給温度検出手段と、
要求加熱量の大きさを示す加熱量要求情報に基づいて、前記低温側開閉手段を開状態に維持する開時間と閉状態に維持する閉時間との開閉比率を要求加熱量が大きいほど開時間を長くする形態で複数段階に設定する開閉比率設定手段と、
前記高温暖房端末と前記低温暖房端末とに熱媒を供給する同時運転が指令されると、前記供給温度検出手段の検出温度が前記高温暖房端末へ供給するための熱媒の温度に設定された設定温度になるように前記加熱手段の加熱作動を制御し、開状態とするように前記高温側開閉手段の開閉作動を制御し、且つ、単一周期における開閉比率を前記開閉比率設定手段にて設定された設定開閉比率に基づいて調整する形態で周期的に開閉するように前記低温側開閉手段の開閉作動を制御する制御手段とが設けられた熱媒供給設備であって、
前記低温熱媒通流路を通して前記低温暖房端末に供給される熱媒の温度を検出する低温側往き温度検出手段が設けられ、
前記開閉比率設定手段が、前記高温暖房端末と前記低温暖房端末とに熱媒を供給する同時運転が指令されると、単一周期における開時間中に前記低温側往き温度検出手段の検出温度データをサンプリングした温度データを平均して平均熱媒温度を求めて、その平均熱媒温度と加熱量要求情報とに基づいて、開閉比率を要求加熱量が大きいほど開時間を長くする形態で複数段階に設定し、且つ、要求加熱量に応じた複数段階の開閉比率のうちで少なくとも要求加熱量が大きい側の一部の段階の開閉比率を、要求加熱量が同じ段階であれば前記平均熱媒温度が高くなると開時間を短くする形態で複数段階に設定するように構成されている熱媒供給設備。
【請求項２】
前記開閉比率設定手段が、単一周期における開時間中の前側の部分において前記低温側往き温度検出手段の検出温度データをサンプリングした温度データを平均して平均熱媒温度を求めて、その平均熱媒温度に基づいて開閉比率を設定するように構成され、
前記制御手段が、単一周期における開時間中の前側の部分に続く後ろ側の部分において前記低温側開閉手段を開状態に維持する時間を調整する形態で、開閉比率が前記開閉比率設定手段にて変更設定された設定開閉比率になるように前記低温側開閉手段の開閉作動を制御するように構成されている請求項１記載の熱媒供給設備
【請求項３】
前記開閉比率設定手段が、単一周期における開時間の全長又は略全長にわたって前記低温側往き温度検出手段の検出温度データをサンプリングした温度データを平均して平均熱媒温度を求めて、その平均熱媒温度に基づいて開閉比率を設定するように構成されている請求項１記載の熱媒供給設備。
【請求項４】
要求加熱量に応じて開閉比率が複数段階に設定された要求加熱量対開閉比率関係情報が、要求加熱量に応じた複数段階の開閉比率のうちで少なくとも要求加熱量が大きい側の一部の段階の開閉比率を要求加熱量が同じ段階であれば前記平均熱媒温度が高くなると開時間を短くする形態で、前記平均熱媒温度に応じて複数設定され、
前記開閉比率設定手段が、前記複数の要求加熱量対開閉比率関係情報のうち、前記平均熱媒温度に応じて選択した要求加熱量対開閉比率関係情報に基づいて開閉比率を設定するように構成されている請求項請求項１〜３のいずれか１項に記載の熱媒供給設備。
【発明の詳細な説明】
【技術分野】
【０００１】
本発明は、高温暖房端末が設けられた高温熱媒通流路が、熱媒加熱用の加熱手段を経由して熱媒を通流させる熱源側熱媒通流路における熱媒送出用の出口と熱媒戻し用の入口とに接続された状態で設けられ、
低温暖房端末が設けられた低温熱媒通流路が、前記熱源側熱媒通流路における前記熱媒戻し用の入口と前記加熱手段との間の流路部分と前記熱媒戻し用の入口とに接続された状態で設けられ、
前記熱源側熱媒通流路に、熱媒を前記熱媒送出用の出口に向けて流動させる熱媒循環手段が設けられ、
前記高温暖房端末への熱媒供給を断続するように前記高温熱媒通流路を開閉する高温側開閉手段と、
前記低温暖房端末への熱媒供給を断続するように前記低温熱媒通流路を開閉する低温側開閉手段と、
前記熱媒送出用の出口から送出される熱媒の温度を検出する供給温度検出手段と、
要求加熱量の大きさを示す加熱量要求情報に基づいて、前記低温側開閉手段を開状態に維持する開時間と閉状態に維持する閉時間との開閉比率を要求加熱量が大きいほど開時間を長くする形態で複数段階に設定する開閉比率設定手段と、
前記高温暖房端末と前記低温暖房端末とに熱媒を供給する同時運転が指令されると、前記供給温度検出手段の検出温度が前記高温暖房端末へ供給するための熱媒の温度に設定された設定温度になるように前記加熱手段の加熱作動を制御し、開状態とするように前記高温側開閉手段の開閉作動を制御し、且つ、単一周期における開閉比率を前記開閉比率設定手段にて設定された設定開閉比率に基づいて調整する形態で周期的に開閉するように前記低温側開閉手段の開閉作動を制御する制御手段とが設けられた熱媒供給設備に関する。
【背景技術】
【０００２】
かかる熱媒供給設備は、浴室暖房乾燥装置等の高温暖房端末、及び、床暖房装置等の低温暖房端末に熱媒を循環供給するものであり、高温暖房端末と低温暖房端末とに熱媒を供給する同時運転では、高温暖房端末には、加熱手段にて設定温度に加熱された熱媒が供給され、低温暖房端末には、高温暖房端末を通過した熱媒と低温暖房端末を通過した熱媒とが合流した熱媒が供給されるようになっていて、低温暖房端末には、高温暖房端末に供給される熱媒の温度よりも低い温度の熱媒が供給されるようになっている（例えば、特許文献１参照。）。
【０００３】
前記低温側開閉手段の詳細な制御については、前記特許文献１には記載されていないが、このような熱媒供給設備では、一般に、要求加熱量の大きさを示す加熱量要求情報に基づいて、低温側開閉手段を開状態に維持する開時間と閉状態に維持する閉時間との開閉比率を要求加熱量が大きいほど開時間を長くする形態で複数段階に設定する開閉比率設定手段が設けられて、制御手段が、単一周期における開閉比率を開閉比率設定手段にて設定された設定開閉比率に基づいて調整する形態で周期的に開閉するように低温側開閉手段の開閉作動を制御するように構成されている。
そして、各段階の要求加熱量に対応する開閉比率は、低温暖房端末に供給される熱媒の温度が所定の温度で一定であるとして、その所定の温度に対応する比率に設定されていた（例えば、特許文献２参照。）。
【０００４】
【特許文献１】特開２００７−１９２４４４号公報
【特許文献２】特開２００５−２８２８９９号公報
【発明の開示】
【発明が解決しようとする課題】
【０００５】
ところで、高温暖房端末にて暖房する暖房対象空間や低温暖房端末にて暖房する暖房対象空間の暖房負荷は変動するものであり、それに伴って高温暖房端末を通過した熱媒の温度や低温暖房端末を通過した熱媒の温度が変動するので、高温暖房端末と低温暖房端末とに熱媒を供給する同時運転では、高温暖房端末を通過した熱媒と低温暖房端末を通過した熱媒とが合流して低温暖房端末に供給される熱媒の温度は変動するものである。
【０００６】
しかしながら、従来の熱媒供給設備においては、高温暖房端末と低温暖房端末とに熱媒を供給する同時運転では、低温暖房端末に供給される熱媒の温度が変動しても、要求加熱量が同じ段階であれば同じ開閉比率で周期的に開閉するように低温側開閉手段の開閉作動が制御されるので、要求加熱量が同じ段階であっても低温暖房端末により得られる暖房状態が変動して、適切な暖房を行い難いという問題があった。
【０００７】
本発明は、かかる実情に鑑みてなされたものであり、その目的は、高温暖房端末と低温暖房端末とに熱媒を供給する同時運転において、低温暖房端末に供給される熱媒の温度が変動しても低温暖房端末により適切な暖房を行い得る熱媒供給設備を提供することにある。
【課題を解決するための手段】
【０００８】
本発明の熱媒供給設備は、高温暖房端末が設けられた高温熱媒通流路が、熱媒加熱用の加熱手段を経由して熱媒を通流させる熱源側熱媒通流路における熱媒送出用の出口と熱媒戻し用の入口とに接続された状態で設けられ、
低温暖房端末が設けられた低温熱媒通流路が、前記熱源側熱媒通流路における前記熱媒戻し用の入口と前記加熱手段との間の流路部分と前記熱媒戻し用の入口とに接続された状態で設けられ、
前記熱源側熱媒通流路に、熱媒を前記熱媒送出用の出口に向けて流動させる熱媒循環手段が設けられ、
前記高温暖房端末への熱媒供給を断続するように前記高温熱媒通流路を開閉する高温側開閉手段と、
前記低温暖房端末への熱媒供給を断続するように前記低温熱媒通流路を開閉する低温側開閉手段と、
前記熱媒送出用の出口から送出される熱媒の温度を検出する供給温度検出手段と、
要求加熱量の大きさを示す加熱量要求情報に基づいて、前記低温側開閉手段を開状態に維持する開時間と閉状態に維持する閉時間との開閉比率を要求加熱量が大きいほど開時間を長くする形態で複数段階に設定する開閉比率設定手段と、
前記高温暖房端末と前記低温暖房端末とに熱媒を供給する同時運転が指令されると、前記供給温度検出手段の検出温度が前記高温暖房端末へ供給するための熱媒の温度に設定された設定温度になるように前記加熱手段の加熱作動を制御し、開状態とするように前記高温側開閉手段の開閉作動を制御し、且つ、単一周期における開閉比率を前記開閉比率設定手段にて設定された設定開閉比率に基づいて調整する形態で周期的に開閉するように前記低温側開閉手段の開閉作動を制御する制御手段とが設けられたものであって、
第１特徴構成は、前記低温熱媒通流路を通して前記低温暖房端末に供給される熱媒の温度を検出する低温側往き温度検出手段が設けられ、
前記開閉比率設定手段が、前記高温暖房端末と前記低温暖房端末とに熱媒を供給する同時運転が指令されると、単一周期における開時間中に前記低温側往き温度検出手段の検出温度データをサンプリングした温度データを平均して平均熱媒温度を求めて、その平均熱媒温度と加熱量要求情報とに基づいて、開閉比率を要求加熱量が大きいほど開時間を長くする形態で複数段階に設定し、且つ、要求加熱量に応じた複数段階の開閉比率のうちで少なくとも要求加熱量が大きい側の一部の段階の開閉比率を、要求加熱量が同じ段階であれば前記平均熱媒温度が高くなると開時間を短くする形態で複数段階に設定するように構成されている点にある。
【０００９】
即ち、開閉比率設定手段は、高温暖房端末と低温暖房端末とに熱媒を供給する同時運転が指令されると、単一周期における開時間中に低温側往き温度検出手段の検出温度データをサンプリングした温度データを平均して平均熱媒温度を求めて、その平均熱媒温度と加熱量要求情報とに基づいて、開閉比率を要求加熱量が大きいほど開時間を長くする形態で複数段階に設定し、且つ、要求加熱量に応じた複数段階の開閉比率のうちで少なくとも要求加熱量が大きい側の一部の段階の開閉比率を、要求加熱量が同じ段階であれば平均熱媒温度が高くなると開時間を短くする形態で複数段階に設定する。
そして、制御手段が、開閉比率設定手段にて設定された設定開閉比率に基づいて、低温側開閉手段を開閉作動させることになる。
【００１０】
つまり、要求加熱量に応じた複数段階の開閉比率のうちで少なくとも要求加熱量が大きい側の一部の段階の開閉比率を、要求加熱量が同じ段階であれば低温暖房端末に供給される熱媒の温度に適応した開閉比率に設定することができるので、低温暖房端末に供給される熱媒の温度が変動しても、その熱媒により単一周期の間に低温暖房端末に供給される熱量の変動を抑制して、冷温暖房端末により適切な暖房を行うことができる。
しかも、開閉比率を設定するための熱媒の温度として、単一周期の開時間中における低温側往き温度検出手段の検出温度データのサンプリング温度データを平均した平均熱媒温度を用いるので、サンプリング温度データの突発的な異常値が開閉比率の設定に影響するのを抑制することにより、低温暖房端末に供給される熱媒の温度にとって適切な開閉比率を適確に設定して、低温暖房端末による暖房を一層良好に行うことができるのである。
従って、高温暖房端末と低温暖房端末とに熱媒を供給する同時運転において、低温暖房端末に供給される熱媒の温度が変動しても、低温暖房端末により適切な暖房を行うことができ、しかも、低温暖房端末に供給される熱媒の温度にとって適切な開閉比率を適確に設定して、低温暖房端末による暖房を一層良好に行い得る熱媒供給設備を提供することができるようになった。
【００１１】
第２特徴構成は、上記第１特徴構成に加えて、
前記開閉比率設定手段が、単一周期における開時間中の前側の部分において前記低温側往き温度検出手段の検出温度データをサンプリングした温度データを平均して平均熱媒温度を求めて、その平均熱媒温度に基づいて開閉比率を設定するように構成され、
前記制御手段が、単一周期における開時間中の前側の部分に続く後ろ側の部分において前記低温側開閉手段を開状態に維持する時間を調整する形態で、開閉比率が前記開閉比率設定手段にて変更設定された設定開閉比率になるように前記低温側開閉手段の開閉作動を制御するように構成されている点にある。
【００１２】
即ち、開閉比率設定手段は、単一周期における開時間中の前側の部分において低温側往き温度検出手段の検出温度データをサンプリングした温度データを平均して平均熱媒温度を求めて、その平均熱媒温度に基づいて開閉比率を設定する。
そして、制御手段は、単一周期における開時間中の前側の部分に続く後ろ側の部分において低温側開閉手段を開状態に維持する時間を調整する形態で、開閉比率が開閉比率設定手段にて変更設定された設定開閉比率になるように低温側開閉手段の開閉作動を制御する。
【００１３】
つまり、単一周期における開時間中の前側の部分において、平均熱媒温度を求めてその平均熱媒温度に基づいて開閉比率を設定し、その開閉比率を設定したのと同じ単一周期における開時間中の前側の部分に続く後ろ側の部分において、低温側開閉手段を開状態に維持する時間を調整して、低温側開閉手段の開閉比率を開閉比率設定手段にて変更設定された設定開閉比率になるように調整するので、高温暖房端末と低温暖房端末とに熱媒を供給する同時運転において、低温暖房端末に供給される熱媒の温度が変動しても、極力速く、低温側開閉手段の開閉比率を低温暖房端末に供給される熱媒の温度に適応した開閉比率に調整することができるようになり、低温暖房端末により得られる暖房状態の変動を極力速く抑制することができる。
従って、低温暖房端末に供給される熱媒の温度が変動しても、低温暖房端末により得られる暖房状態の変動を極力速く抑制することができるので、低温暖房端末に供給される熱媒の温度が変動しても、低温暖房端末により一段と適切な暖房行うことができるようになった。
【００１４】
第３特徴構成は、上記第１特徴構成に加えて、
前記開閉比率設定手段が、単一周期における開時間の全長又は略全長にわたって前記低温側往き温度検出手段の検出温度データをサンプリングした温度データを平均して平均熱媒温度を求めて、その平均熱媒温度に基づいて開閉比率を設定するように構成されている点にある。
【００１５】
即ち、開閉比率設定手段は、単一周期における開時間の全長又は略全長にわたって低温側往き温度検出手段の検出温度データをサンプリングした温度データを平均して平均熱媒温度を求めて、その平均熱媒温度に基づいて開閉比率を設定するので、要求加熱量のレベルが高くて単一周期における開時間が長い場合はもちろんのこと、要求加熱量のレベルが低くて単一周期における開時間が短くても、平均熱媒温度を低温暖房端末に供給される熱媒にて得られる暖房状態に対応するものとして求めることができる。
そして、そのように低温暖房端末に供給される熱媒にて得られる暖房状態に対応するものとして求められた平均熱媒温度に基づいて開閉比率を設定するので、要求加熱量のレベルが高くて単一周期における開時間が長い場合はもちろんのこと、要求加熱量のレベルが低くて単一周期における開時間が短くても、開閉比率を低温暖房端末に供給される熱媒の温度に適応させた状態で適切に求めることができる。
従って、そのように低温暖房端末に供給される熱媒の温度に適応した開閉比率に基づいて、低温側開閉手段が周期的に開閉されることになるので、高温暖房端末と低温暖房端末とに熱媒を供給する同時運転において、低温暖房端末に供給される熱媒の温度が変動しても、低温暖房端末により一段と適切な暖房行うことができるようになった。
【００１６】
第４特徴構成は、上記第１〜第３特徴構成のいずれか１つに加えて、
要求加熱量に応じて開閉比率が複数段階に設定された要求加熱量対開閉比率関係情報が、要求加熱量に応じた複数段階の開閉比率のうちで少なくとも要求加熱量が大きい側の一部の段階の開閉比率を要求加熱量が同じ段階であれば前記平均熱媒温度が高くなると開時間を短くする形態で、前記平均熱媒温度に応じて複数設定され、
前記開閉比率設定手段が、前記複数の要求加熱量対開閉比率関係情報のうち、前記平均熱媒温度に応じて選択した要求加熱量対開閉比率関係情報に基づいて開閉比率を設定するように構成されている点にある。
【００１７】
即ち、低温暖房端末に供給される熱媒の温度が高くなると、開時間の長さを短くする形態で開閉比率を変更することにより、低温暖房端末により得られる暖房状態の変動を抑制することができることに鑑みて、実験により、要求加熱量の各段階について、低温暖房端末に供給する熱媒の温度が異なっても、低温暖房端末により得られる暖房状態が略同程度になるように、低温暖房端末に供給する複数段階の熱媒の温度夫々について開閉比率を設定する。
その実験結果に基づいて、要求加熱量が同じ段階であれば平均熱媒温度が異なっても低温暖房端末により略同等の暖房状態が得られるように、平均熱媒温度に応じて複数の要求加熱量対開閉比率関係情報を設定することができる。
そして、そのように設定した複数の要求加熱量対開閉比率関係情報から、平均熱媒温度に応じた要求加熱量対開閉比率関係情報を選択して、その選択した要求加熱量対開閉比率関係情報に基づいて開閉比率を設定するので、開閉比率を低温暖房端末に供給される熱媒の温度に適応したものとして設定することができ、低温暖房端末に供給される熱媒の温度が変動しても、低温暖房端末により得られる暖房状態の変動をより一層抑制することができる。
【００１８】
ちなみに、低温暖房端末に供給される熱媒の温度が変動しても低温暖房端末により得られる暖房状態の変動を抑制できるように、開時間と低温暖房端末に供給される熱媒の温度との関係を一次式等の数式にて規定して、その数式に基づいて、低温暖房端末に供給される熱媒の温度に応じた開閉比率を求めることが想定される。
しかしながら、低温暖房端末に供給される熱媒の温度が変動すると想定される全範囲にわたって、低温暖房端末により得られる暖房状態の変動を抑制することができるように、開時間と低温暖房端末に供給される熱媒の温度との関係を数式にて精度良く規定することは難しいので、開時間と低温暖房端末に供給される熱媒の温度との関係を規定した数式に基づいて、平均熱媒温度に応じた開閉比率を設定する場合は、例えば低温暖房端末に供給される熱媒の温度が大きく変動する場合等においては、低温暖房端末により得られる暖房状態の変動を的確に抑制し難い虞がある。
従って、上述のように実験により、平均熱媒温度に応じて複数の要求加熱量対開閉比率関係情報を設定して、そのように設定した複数の要求加熱量対開閉比率関係情報のうち、平均熱媒温度に応じて選択した要求加熱量対開閉比率関係情報に基づいて開閉比率を設定するように構成することにより、高温暖房端末と低温暖房端末とに熱媒を供給する同時運転において、低温暖房端末に供給される熱媒の温度が変動しても、低温暖房端末により一段と適切な暖房行うことができるようになった。
【発明を実施するための最良の形態】
【００１９】
以下、図面に基づいて、本発明の実施の形態を説明する。
図１に示すように、熱媒供給設備は、高温暖房端末１、低温暖房端末２、それら高温暖房端末１や低温暖房端末２に加熱した熱媒を循環供給する熱源機Ｇ、この熱媒供給設備の運転を制御する制御手段としての主制御部Ｃ、前記高温暖房端末１の運転を制御する高温端末制御部３、その高温端末制御部３に高温暖房端末１を運転するための各種制御情報を指令する高温側操作部４、前記低温暖房端末２の運転を制御する低温端末制御部５、その低温端末制御部５に低温暖房端末２を運転するための各種制御情報を指令する低温側操作部６等を備えて構成されている。
ちなみに、高温暖房端末１としては、例えば浴室暖房乾燥装置やファンコンベクターが設けられ、低温暖房端末２としては、例えば床暖房装置が設けられる。
【００２０】
前記熱源機Ｇは、熱交換器７を経由して熱媒を通流させる熱源側熱媒通流路８、前記熱交換器７を加熱するガスバーナ９、そのガスバーナ９に燃焼用空気を供給する燃焼用送風機１０、前記熱源側熱媒通流路８における熱媒送出用の往き流路部分８１と前記熱源側熱媒通流路８における熱媒戻し用の戻り流路部分８２とを連通接続するバイパス路１１等を備えて構成されている。つまり、前記熱交換器７及びその熱交換器７を加熱する前記ガスバーナ９により、熱媒加熱用の加熱手段Ｈが構成される。
【００２１】
前記戻り流路部分８２には、膨張タンク１２が介装され、更に、その戻り流路部分８２における膨張タンク１２よりも下流側の箇所には、熱媒を前記熱源側熱媒通流路８の熱媒送出用の出口８ｅ（即ち、前記往き流路部分８１の出口８ｅ）に向けて流動させる熱媒循環手段としての熱媒循環ポンプ１３が設けられている。
【００２２】
前記ガスバーナ９へガス燃料を供給する燃料供給路１４には、ガスバーナ９へのガス燃料の供給を断続する燃料断続弁１５、及び、ガスバーナ９へのガス燃料の供給量を調整する燃料調整弁１６が設けられている。
更に、ガスバーナ９に点火するイグナイタ１７、及び、ガスバーナ９の燃焼状態を検出するフレームロッド１８も設けられている。
【００２３】
前記熱源側熱媒通流路８の往き流路部分８１の出口８ｅには、高温側往き接続部材１９が設けられ、前記熱源側熱媒通流路８の熱媒戻し用の入口８ｉ（即ち、前記戻り流路部分８２の入口８ｉ）には、共通戻り接続部材２０が設けられ、更に、前記熱源側熱媒通流路８の戻り流路部分８２における前記熱媒循環ポンプ１３と前記熱交換器７との間の流路部分（即ち、前記熱媒戻し用の入口８ｉと前記加熱手段Ｈとの間の流路部分に相当する）から低温側接続用流路２１が分岐されて、その低温側接続用流路２１の先端の熱媒送出用の出口２１ｅには、低温側往き接続部材２２が設けられている。
【００２４】
前記熱源側熱媒通流路８の往き流路部分８１におけるバイパス路１１の分岐箇所よりも上流側には、その熱媒送出用の出口８ｅから送出される熱媒の温度を検出する供給温度検出手段としての供給温度センサ２３が設けられ、前記低温側接続用流路２１には、その低温側接続用流路２１の熱媒送出用の出口２１ｅから送出される熱媒の温度、即ち、後述する低温熱媒通流路２４を通して前記低温暖房端末２に供給される熱媒の温度を検出する低温側往き温度検出手段としての低温側往き温度センサ２５が設けられている。
【００２５】
前記高温暖房端末１が設けられた高温熱媒通流路２６が、前記高温側往き接続部材１９と前記共通戻り接続部材２０とに接続された状態で設けられている。
又、前記低温暖房端末２が設けられた前記低温熱媒通流路２４が、前記低温側往き接続部材２２と前記共通戻り接続部材２０とに接続された状態で設けられている。
つまり、前記高温暖房端末１が設けられた高温熱媒通流路２６が、前記熱源側熱媒通流路８における熱媒送出用の出口８ｅと熱媒戻し用の入口８ｉとに接続された状態で設けられ、前記低温暖房端末２が設けられた低温熱媒通流路２４が、前記熱源側熱媒通流路８における前記熱媒戻し用の入口８ｉと前記加熱手段Ｈとの間の流路部分と前記熱媒戻し用の入口８ｉとに接続された状態で設けられている。
【００２６】
前記高温熱媒通流路２６における前記高温暖房端末１よりも上流側の部分に、高温暖房端末１への熱媒供給を断続するように高温熱媒通流路２６を開閉する高温側開閉手段としての高温側熱動弁２７が設けられ、前記低温熱媒通流路２４における前記低温暖房端末２よりも上流側の部分に、低温暖房端末２への熱媒供給を断続するように低温熱媒通流路２４を開閉する低温側開閉手段としての低温側熱動弁２８が設けられている。
【００２７】
前記高温暖房端末１の一例として設けられる浴室暖房乾燥装置は周知であるので、詳細な説明及び図示を省略して簡単に説明すると、その高温暖房端末１は、高温熱媒通流路２６からの熱媒を通流させる高温端末用熱交換器、暖房対象空間から吸引した空気を前記高温端末用熱交換器に通風させた後に暖房対象空間に戻すように通風作用する循環用送風機及び暖房対象空間の空気を排気する排気用送風機等を備えて構成されている。
前記低温暖房端末２の一例として設けられる床暖房装置も周知であるので、詳細な説明及び図示を省略して簡単に説明すると、その床暖房装置は、低温熱媒通流路２４からの熱媒を通流させる熱媒流通管を床暖房パネルに埋入状態に装備して構成してある。
【００２８】
以下、前記主制御部Ｃ、前記高温端末制御部３及び前記低温端末制御部５夫々の制御動作を説明する。
前記高温端末制御部３は、前記高温側操作部４及び前記主制御部Ｃの夫々と通信可能に構成され、前記低温端末制御部５は、前記低温側操作部６及び前記主制御部Ｃの夫々と通信可能に構成されている。
高温側操作部４には、高温暖房端末１の運転の開始及び停止を指令する運転スイッチ４１等が設けられている。
又、低温側操作部６には、低温暖房端末２の運転の開始及び停止を指令する運転スイッチ６１、複数段階（この実施形態では９段階）の要求加熱レベル（要求加熱量に相当する）のうちからいずれか１つを要求加熱レベルの大きさを示す加熱量要求情報として設定する加熱レベル設定スイッチ６２、その加熱レベル設定スイッチ６２にて設定されている要求加熱レベルを表示する９個のランプからなる要求加熱レベル表示部６３等が設けられている。
【００２９】
そして、前記低温端末制御部５は、加熱レベル設定スイッチ６２にて設定されている要求加熱レベルに基づいて、前記低温側熱動弁２８を開状態に維持する開時間と閉状態に維持する閉時間との開閉比率を要求加熱量が大きいほど開時間を長くする形態で複数段階に設定するように構成されている。つまり、低温端末制御部５が開閉比率設定手段として機能するように構成されている。
【００３０】
前記高温端末制御部３は、前記高温側操作部４の運転スイッチ４１により高温暖房端末１の運転開始が指令されると、主制御部Ｃに高温暖房端末１への熱媒の供給を指令し、高温側操作部４の運転スイッチ４１により高温暖房端末１の運転停止が指令されると、主制御部Ｃに高温暖房端末１への熱媒供給の停止を指令するように構成されている。
又、前記低温端末制御部５は、前記低温側操作部６の運転スイッチ６１により低温暖房端末２の運転開始が指令されると、主制御部Ｃに低温暖房端末２への熱媒の供給を指令し、並びに、加熱レベル設定スイッチ６２にて設定されている要求加熱レベルに基づいて設定した設定開閉比率を主制御部Ｃに指令し、運転スイッチ６１により低温暖房端末２の運転停止が指令されると、主制御部Ｃに低温暖房端末２への熱媒供給の停止を指令するように構成されている。
【００３１】
そして、前記主制御部Ｃは、前記高温端末制御部３から高温暖房端末１への熱媒の供給が指令され、且つ、前記低温端末制御部５から低温暖房端末２への熱媒の供給が指令されていないとき、即ち、高温暖房端末１のみに熱媒を供給する高温側単独運転が指令されると、前記供給温度センサ２３の検出温度が前記高温暖房端末１へ供給するための熱媒の温度に設定された高温用設定温度（例えば８０°Ｃ）になるように前記加熱手段Ｈの加熱作動を制御し且つ前記熱媒循環ポンプ１３を作動させる高温用運転処理を実行し、並びに、開状態とするように前記高温側熱動弁２７の開閉作動を制御するように構成されている。
【００３２】
又、前記主制御部Ｃは、前記低温端末制御部５から低温暖房端末２への熱媒の供給が指令され、且つ、前記高温端末制御部３から高温暖房端末１への熱媒の供給が指令されていないとき、即ち、低温暖房端末２のみに熱媒を供給する低温側単独運転が指令されると、前記低温側往き温度センサ２５の検出温度が前記高温用設定温度よりも低い前記低温暖房端末２へ供給するための熱媒の温度に設定された低温用設定温度（例えば６０°Ｃ）になるように前記加熱手段Ｈの加熱作動を制御し且つ前記熱媒循環ポンプ１３を作動させる低温用運転処理を実行し、並びに、単一周期における開閉比率を前記低温端末制御部５にて設定された設定開閉比率に基づいて調整する形態で周期的に開閉するように前記低温側熱動弁２８の開閉作動を制御するように構成されている。
【００３３】
又、前記主制御部Ｃは、前記高温端末制御部３から高温暖房端末１への熱媒の供給が指令され、且つ、前記低温端末制御部５から低温暖房端末２への熱媒の供給が指令されると、即ち、記高温暖房端末１と前記低温暖房端末２とに熱媒を供給する同時運転が指令されると、前記供給温度センサ２３の検出温度が前記高温用設定温度になるように前記加熱手段Ｈの加熱作動を制御し且つ前記熱媒循環ポンプ１３を作動させる高温用運転処理を実行し、開状態とするように前記高温側熱動弁２７の開閉作動を制御し、並びに、単一周期における開閉比率を前記低温端末制御部５にて設定された設定開閉比率に基づいて調整する形態で周期的に開閉するように前記低温側熱動弁２８の開閉作動を制御するように構成されている。
【００３４】
そして、本発明では、前記低温端末制御部５が、単一周期における開時間中に前記低温側往き温度センサ２５の検出温度データをサンプリングした温度データを平均して平均熱媒温度を求めて、その平均熱媒温度と前記加熱レベル設定スイッチ６２にて設定されている要求加熱レベル（即ち、加熱量要求情報）とに基づいて、開閉比率を要求加熱量が大きいほど開時間を長くする形態で複数段階に設定し、且つ、要求加熱量に応じた複数段階の開閉比率のうちで少なくとも要求加熱レベルが大きい側の一部の段階の開閉比率を、要求加熱レベルが同じ段階であれば前記平均熱媒温度が高くなると開時間を短くする形態で複数段階に設定するように構成されている。
更に、前記低温端末制御部５が、単一周期における開時間中の前側の部分において前記低温側往き温度センサ２５の検出温度データをサンプリングした温度データを平均して平均熱媒温度を求めて、その平均熱媒温度に基づいて開閉比率を設定するように構成されている。
そして、前記主制御部Ｃが、単一周期における開時間中の前側の部分に続く後ろ側の部分において前記低温側熱動弁２８を開状態に維持する時間を調整する形態で、開閉比率が前記低温端末制御部５にて変更設定された設定開閉比率になるように前記低温側熱動弁２８の開閉作動を制御するように構成されている。
【００３５】
以下、前記主制御部Ｃ及び前記低温端末制御部５夫々の制御動作を更に具体的に説明する。
要求加熱レベルに応じて開閉比率が複数段階に設定された要求加熱レベル対開閉比率関係情報（即ち、要求加熱量対開閉比率関係情報に相当する）が、要求加熱レベルに応じた複数段階の開閉比率のうちで少なくとも要求加熱レベルが高い側（即ち、要求加熱量が大きい側）の一部の段階の開閉比率を要求加熱レベルが同じ段階であれば平均熱媒温度が高くなると開時間を短くする形態で、前記平均熱媒温度に応じて複数設定されて、それら複数の要求加熱レベル対開閉比率関係情報が、平均熱媒温度に対応付けられた状態で前記低温端末制御部５のメモリに記憶されている。
図２に基づいて、要求加熱レベル対開閉比率関係情報について説明を加えると、開閉比率は、単一周期を２０分として開時間と閉時間との比率にて設定される。
要求加熱レベル対開閉比率関係情報を設定するための開閉比率設定用の平均熱媒温度として、低温側設定温度（例えば６０°Ｃ）の基準温度、その基準温度よりも５°Ｃ高い６５°Ｃ、基準温度よりも１０°Ｃ高い７０°Ｃ、基準温度よりも１５°Ｃ高い７５°Ｃの４段階が設定されている。
そして、要求加熱レベルが高くなるほど開時間が長くなる形態で、且つ、９段階の要求加熱レベルのうちで２段目の要求加熱レベル以上の各要求加熱レベルの開閉比率を要求加熱レベルが同じ段階であれば平均熱媒温度が高くなると開時間を短くする形態で、基準温度、６５°Ｃ、７０°Ｃ、７５°Ｃの各開閉比率設定用の平均熱媒温度毎に要求加熱レベル対開閉比率関係情報がテーブル状に設定されている。
以下、開閉比率設定用の平均熱媒温度が基準温度、６５°Ｃ、７０°Ｃ、７５°Ｃの各要求加熱レベル対開閉比率関係情報を、それぞれ基準テーブル、６５°Ｃ用テーブル、７０°Ｃ用テーブル、７５°Ｃ用テーブルと称する場合がある。
【００３６】
例えば、基準テーブルを例にして説明すると、要求加熱レベルが１段目から２段目、３段目、………、９段目と高くなるに伴って開時間を３分、６分、８分、………、２０分と長くする形態で、９段階の要求加熱レベル毎に開閉比率が設定されている。
又、５段目の要求加熱レベルを例にして説明すると、要求加熱レベルが５段目で同じ段階であれば、開閉比率設定用の平均熱媒温度が基準温度、６５°Ｃ、７０°Ｃ、７５°Ｃと高くなるのに伴って、開時間を１２分、１０分、８．５分、７分と短くする形態で、５段目の要求加熱レベルの開閉比率が４段階の開閉比率設定用の平均熱媒温度毎に設定されている。
【００３７】
前記主制御部Ｃは、前記同時運転が指令されている状態においては、設定サンプリング時間（例えば、１０秒）毎に低温側往き温度センサ２５の検出温度データをサンプリングして、そのサンプリングした温度データを前記低温端末制御部５に送信するように構成されている。
前記低温端末制御部５は、要求加熱レベル毎に、平均熱媒温度を求めるための熱媒温度平均用時間を、各要求加熱レベルにおける４段階の開閉比率設定用の平均熱媒温度の開時間のうちの最も短い開時間よりも設定時間（例えば１分間）短い時間に設定するように構成されている。
例えば、５段目の要求加熱レベルであれば、最も短い開時間は７分であるので、熱媒温度平均用時間を最も短い開時間の７分よりも設定時間の１分間短い６分間に設定することになる。
そして、前記低温端末制御部５は、単一周期毎に、加熱レベル設定スイッチ６２にて設定されている要求加熱レベルに対応する熱媒温度平均用時間を設定して、その設定した熱媒温度平均用時間の間に前記主制御部Ｃから送信されてくるサンプリング温度データを平均して平均熱媒温度を求めて、その求めた平均熱媒温度に対応する開閉比率設定用の平均熱媒温度のテーブルに基づいて要求加熱レベルに対応する開閉比率を設定し、そのように設定した設定開閉比率が直前の単一周期にて設定した設定開閉比率と異なる場合は、そのように変更設定した設定開閉比率を主制御部Ｃに送信するように構成されている。
つまり、加熱レベル設定スイッチ６２にて設定されている要求加熱レベルに対応して設定した熱媒温度平均用時間は、その要求加熱レベルにおける複数段階の開時間のうちの最も短い開時間よりも短いので、低温端末制御部５は、単一周期における開時間中の前側の部分において前記低温側往き温度センサ２５の検出温度データをサンプリングした温度データを平均して平均熱媒温度を求めて、その平均熱媒温度に基づいて開閉比率を設定するように構成されていることになる。
【００３８】
ちなみに、前記低温端末制御部５は、求めた平均熱媒温度が隣接する開閉比率設定用の平均熱媒温度の間の温度であるときは、求めた平均熱媒温度に近い方の開閉比率設定用の平均熱媒温度用のテーブルに基づいて開閉比率を設定するように構成されている。但し、求めた平均熱媒温度が隣接する開閉比率設定用の平均熱媒温度の中央の温度であるときは、温度が高い方の開閉比率設定用の平均熱媒温度用のテーブルに基づいて開閉比率を設定するように構成されている。
例えば、加熱レベル設定スイッチ６２にて設定されている要求加熱レベルが５段目のときは、６分間の熱媒温度平均用時間の間に、主制御部Ｃから送信されてくるサンプリング温度データを平均して平均熱媒温度を求める。そして、その求めた平均熱媒温度が６７°Ｃのときは、その平均熱媒温度の６７°Ｃは７０°Ｃよりも６５°Ｃの開閉比率設定用の平均熱媒温度に近いので、６５°Ｃ用テーブルに基づいて、開閉比率を１０分／１０分（開時間／閉時間）に設定することになる。
【００３９】
又、前記低温端末制御部５は、前記低温側単独運転が指令されているときは、基準テーブルに基づいて、加熱レベル設定スイッチ６２にて設定されている要求加熱レベルに対応する開閉比率を設定するように構成されている。
【００４０】
前記主制御部Ｃは、前記ガスバーナ９が消火している状態で前記高温側単独運転が指令されると、高温側熱動弁２７を開弁し且つ低温側熱動弁２８を閉弁した状態で熱媒循環ポンプ１３を作動させて、高温熱媒通流路２６を通して熱媒を循環させる状態で、燃焼用送風機１０を作動させ、燃料断続弁１５及び燃料調整弁１６を開弁し、イグナイタ１７を作動させてガスバーナ９に点火する点火処理を実行し、以降、供給温度センサ２３の検出温度が前記高温用設定温度になるようにガスバーナ９への燃料供給量を調整すべく燃料調整弁１６の開度を調整し、且つ、その燃料供給量に応じた燃焼用空気通風量になるように燃焼用送風機１０の回転速度を調整する。
そして、前記主制御部Ｃは、前記高温側単独運転を実行しているときに、その高温側単独運転の停止が指令されると、燃料断続弁１５及び燃料調整弁１６を閉弁し、その閉弁後、ポストパージ用設定時間が経過すると燃焼用送風機１０を停止する消火処理を実行し、その消火処理の後、高温側熱動弁２７を閉弁し、熱媒循環ポンプ１３を停止させる。
【００４１】
又、前記主制御部Ｃは、前記ガスバーナ９が消火している状態で前記低温側単独運転が指令されると、低温側熱動弁２８を開弁し且つ高温側熱動弁２７を閉弁した状態で熱媒循環ポンプ１３を作動させて、低温熱媒通流路２４を通して熱媒を循環させる状態で、前記点火処理を実行し、以降、低温側往き温度センサ２５の検出温度が前記低温用設定温度になるようにガスバーナ９への燃料供給量を調整すべく燃料調整弁１６の開度を調整し、且つ、その燃料供給量に応じた燃焼用空気通風量になるように燃焼用送風機１０の回転速度を調整し、並びに、単一周期における開閉比率を前記低温端末制御部５により設定された設定開閉比率に基づいて調整する形態で周期的に低温側熱動弁２８の開閉作動を制御する。
そして、前記主制御部Ｃは、前記低温側単独運転を実行しているときに、その低温側単独運転の停止が指令されると、前記消火処理を実行し、その消火処理の後、低温側熱動弁２８を閉弁し、熱媒循環ポンプ１３を停止させる。
【００４２】
又、前記主制御部Ｃは、前記ガスバーナ９が消火している状態で前記同時運転が指令されると、高温側熱動弁２７を開弁し且つ低温側熱動弁２８を開弁した状態で熱媒循環ポンプ１３を作動させて、高温熱媒通流路２６と低温熱媒通流路２４とを通して熱媒を循環させる状態で、前記点火処理を実行し、以降、供給温度センサ２３の検出温度が前記高温用設定温度になるようにガスバーナ９への燃料供給量を調整すべく燃料調整弁１６の開度を調整し、且つ、その燃料供給量に応じた燃焼用空気通風量になるように燃焼用送風機１０の回転速度を調整し、並びに、単一周期における開閉比率を前記低温端末制御部５により設定された設定開閉比率に基づいて調整する形態で周期的に低温側熱動弁２８の開閉作動を制御する。
又、前記主制御部Ｃは、前記同時運転において、単一周期における開時間中の前側の部分において、前記低温端末制御部５により設定開閉比率が直前の単一周期から変更設定されると、その単一周期における開時間中の前側の部分に続く後ろ側の部分において低温側熱動弁２８を開状態に維持する時間を調整し、且つ、設定開閉比率が直前の単一周期から変更設定されないときは、開状態に維持する時間を直前の単一周期にて設定されている開時間に調整する形態で、開閉比率が前記低温端末制御部５にて変更設定された設定開閉比率になるように低温側熱動弁２８の開閉作動を制御する。
例えば、要求加熱レベルが５段目のときにおいて、直前の単一周期の設定開閉比率が８．５分／１１．５分である場合に、単一周期における開時間中の前側の部分にて設定開閉比率が７分／１３分に変更設定されると、その単一周期において低温側熱動弁２８を開弁状態に維持している時間が７分間に達すると低温側熱動弁２８を閉弁することにより、開閉比率が前記低温端末制御部５にて変更設定された設定開閉比率になるように低温側熱動弁２８の開閉作動を制御することになる。
【００４３】
尚、前記主制御部Ｃは、前記高温側単独運転の実行中に前記低温端末制御部５から低温暖房端末２への熱媒の供給の開始が指令されたとき、及び、前記低温側単独運転の実行中に前記高温端末制御部３から高温暖房端末１への熱媒の供給の開始が指令されたときも、前記同時運転が指令された判断するように構成されている。
【００４４】
前記主制御部Ｃは、前記同時運転の実行中に、前記高温端末制御部３から高温暖房端末１への熱媒供給の停止が指令されると、高温側熱動弁２７を閉弁して高温熱媒通流路２６を通しての熱媒の循環を停止して、前記低温側単独運転を実行するように構成されている。
又、前記主制御部Ｃは、前記同時運転の実行中に、前記低温端末制御部５から低温暖房端末２への熱媒供給の停止が指令されると、低温側熱動弁２８を閉弁して低温熱媒通流路２４を通しての熱媒の循環を停止して、前記高温側単独運転を実行するように構成されている。
又、前記主制御部Ｃは、前記同時運転の実行中に、前記高温端末制御部３からの高温暖房端末１への熱媒供給の停止と前記低温端末制御部５からの低温暖房端末２への熱媒供給の停止とが同時に指令されると、前記消火処理を実行し、その消火処理の後、高温側熱動弁２７及び低温側熱動弁２８を閉弁し、熱媒循環ポンプ１３を停止させる。
【００４５】
次に、図３に示すフローチャートに基づいて、前記主制御部Ｃの制御動作を説明する。
前記主制御部Ｃは、前記同時運転が指令されているときは、前記供給温度センサ２３の検出温度が前記高温用設定温度になるように前記加熱手段Ｈの加熱作動を制御し且つ前記熱媒循環ポンプ１３を作動させる高温用運転処理を実行し、前記高温側熱動弁２７を開弁状態にし、単一周期における開閉比率が前記低温端末制御部５にて設定された設定開閉比率になるように前記低温側熱動弁２８を開閉制御し、並びに、前記設定サンプリング時間毎に低温側往き温度センサ２５の検出温度データをサンプリングしてそのサンプリング温度データを前記低温端末制御部５に送信する（ステップ＃１〜６）。
【００４６】
前記主制御部Ｃは、前記高温側単独運転が指令されているときは、前記高温用運転処理を実行し、前記高温側熱動弁２７を開弁状態にし、並びに、前記低温側熱動弁２８を閉弁状態にする（ステップ＃１，２，７〜１０）。
前記主制御部Ｃは、前記低温側単独運転が指令されているときは、前記低温側往き温度センサ２５の検出温度が前記低温用設定温度になるように前記加熱手段Ｈの加熱作動を制御し且つ前記熱媒循環ポンプ１３を作動させる低温用運転処理を実行し、前記高温側熱動弁２７を閉弁状態にし、並びに、単一周期における開閉比率が前記低温端末制御部５にて設定された設定開閉比率になるように前記低温側熱動弁２８を開閉制御する（ステップ＃１，２，７，１１〜１３）。
前記主制御部Ｃは、運転指令が指令されていないときは、前記加熱手段Ｈの加熱作動を停止状態にし且つ前記熱媒循環ポンプ１３を停止状態にして、熱源機運転停止状態にし、前記高温側熱動弁２７を閉弁状態にし、並びに、前記低温側熱動弁２８を閉弁状態にする（ステップ＃１，１４〜１６）。
【００４７】
〔別実施形態〕
次に別実施形態を説明する。
（イ）  低温端末制御部５により平均熱媒温度を求めてその求めた平均熱媒温度に基づいて開閉比率を設定するための手順は、上記の実施形態において例示した手順、即ち、単一周期における開時間中の前側の部分において低温側往き温度センサ２５の検出温度データをサンプリングした温度データを平均して平均熱媒温度を求めてその平均熱媒温度に基づいて開閉比率を設定する手順に限定されるものではない。
例えば、単一周期における開時間の全長又は略全長にわたって低温側往き温度センサ２５の検出温度データをサンプリングした温度データを平均して平均熱媒温度を求めてその平均熱媒温度に基づいて開閉比率を設定する手順を採用することができる。
この場合は、主制御部Ｃは、上記の実施形態と同様に、同時運転が指令されている状態において、設定サンプリング時間毎に低温側往き温度センサ２５の検出温度データをサンプリングして、そのサンプリングした温度データを低温端末制御部５に送信するように構成される。
そして、低温端末制御部５は、単一周期毎に、直前の単一周期において設定した開閉比率にて定められる開時間の全長にわたって、主制御部Ｃから送信されてくるサンプリング温度データを平均して平均熱媒温度を求めて、その求めた平均熱媒温度に対応する開閉比率設定用の平均熱媒温度のテーブルに基づいて開閉比率を設定し、そのように設定した設定開閉比率を主制御部Ｃに送信するように構成されている。
尚、低温端末制御部５は、同時運転の最初の単一周期においては、基準テーブルに基づいて開閉比率を設定するように構成されている。
【００４８】
（ロ）  低温端末制御部５により平均熱媒温度に応じた開閉比率を設定するための手順は、上記の実施形態において例示した手順、即ち、あらかじめ設定された複数の要求加熱量対開閉比率関係情報のうち、平均熱媒温度に応じて選択した要求加熱量対開閉比率関係情報に基づいて開閉比率を設定する手順に限定されるものではない。
例えば、平均熱媒温度と基準温度（６０°Ｃ）との差ｘにより開時間ｙを求めるための下記式１の如き一次式の数式を、要求加熱レベル毎に設定して、その設定した数式に基づいて平均熱媒温度に応じた開時間ｙを求めて、開閉比率を設定するように構成してもよい。
【００４９】
ｙ＝Ｔ−αｘ……………（式１）
但し、Ｔは、図２に示すように基準テーブルにて要求加熱レベル毎に設定されている開時間であり、αは要求加熱レベル毎に設定される傾きである。
例えば、５段目の加熱要求レベルに対応する数式は、基準テーブルにおける５段目の加熱要求レベルの開時間は１２分であり、傾きは例えば０．４に設定されることになって、下記の式２となる。
ｙ＝１２−０．４ｘ……………（式２）
【００５０】
（ハ）  要求加熱量が同じ段階であれば平均熱媒温度が高くなると開時間を短くする形態で開閉比率を複数段階に設定するに当たって、上記の実施形態では、要求加熱量に応じた複数段階の開閉比率のうちで要求加熱量が大きい側の一部の段階、即ち、９段階の要求加熱量のうちで２段目以上の８段階の要求加熱量の開閉比率を対象としたが、要求加熱量に応じた複数段階全ての開閉比率を対象とするように構成してもよい。
【００５１】
（ニ）  要求加熱量の大きさを示す加熱量要求情報の具体例としては、上記の実施形態において説明した情報、即ち、要求加熱量の大きさを段階的に示す複数段階の要求加熱レベルに限定されるものではない。
例えば、低温暖房端末２にて暖房する対象の暖房対象空間の温度を検出する対象空間温度検出手段と、暖房対象空間を暖房する目標暖房温度を設定する目標暖房温度設定手段とを設けて、その目標暖房温度設定手段にて設定される目標暖房温度と前記対象空間温度検出手段の検出温度との温度差を加熱量要求情報とするように構成しても良い。
【００５２】
（ホ）  熱媒加熱用の加熱手段Ｈは、上記の実施形態のように加熱源としてガスバーナ９等のバーナを備えて構成する場合に限定されるものではなく、例えば、電気ヒータを加熱源として備えて構成してもよい。
【図面の簡単な説明】
【００５３】
【図１】熱媒供給設備の全体構成を示すブロック図
【図２】要求加熱レベル対開閉比率関係情報を示す図
【図３】制御動作のフローチャートを示す図
【符号の説明】
【００５４】
１    高温暖房端末
２    低温暖房端末
５    開閉比率設定手段
８    熱源側熱媒通流路
８ｅ  熱媒送出用の出口
８ｉ  熱媒戻し用の入口
１３  熱媒循環手段
２３  供給温度検出手段
２４  低温熱媒通流路
２５  低温側往き温度設定手段
２６  高温熱媒通流路
２７  高温側開閉手段
２８  低温側開閉手段
Ｃ    制御手段
Ｈ    加熱手段
【図１】
0005128322.tif 000002
【図２】
0005128322.tif 000003
【図３】
0005128322.tif 000004